(57)【要約】【課題】  液体配管と電装品とを実質的に密閉された空間内に収納する収納容器において、液体配管およびその近傍部分の外表面に結露が生じることを抑制し、また、この結露による水滴が電装品に伝わって付着することを防止する。【解決手段】  給水管Ｐｗ１と電気回路基板６０とを実質的に密閉された空間Ｓ内に収納する収納容器１０の構造であって、前記給水管および電気回路基板を有する希釈装置Ａｄの使用状態において、前記給水管は収納容器の比較的上部に位置し、電気回路基板は、給水管よりも下方で、且つ、平面視で該給水管と重ならない位置に配置されており、前記電気回路基板の少なくとも上方および側方を覆う基板カバー６３が配設されていることを特徴とする。【選択図】図７
2006346523.tif 000002
【特許請求の範囲】
【請求項１】
液体配管と電装品とを実質的に密閉された空間内に収納する収納容器の構造であって、
前記液体配管および電装品の使用状態において、前記液体配管は前記収納容器の比較的上部に位置し、
前記電装品は、前記液体配管よりも下方で、且つ、平面視で前記液体配管と重ならない位置に配置されており、
前記電装品の少なくとも上方および側方を覆うカバー体が配設されている、
ことを特徴とする収納容器の構造。
【請求項２】
前記液体配管の下方には前記収納容器の下端近傍まで広がる空隙部が設けられており、
前記電装品は、前記カバー体の側壁を挟んで前記空隙部の側方に配置されている、
ことを特徴とする請求項１記載の収納容器の構造。
【請求項３】
液体配管と電装品とを実質的に密閉された空間内に収納する収納容器の構造であって、
前記電装品の上方を覆う天井壁と、前記電装品と前記液体配管との間を仕切る仕切り壁とを備えたカバー体が配設され、
前記液体配管と前記電装品の間に、前記カバー体の仕切り壁を含めて少なくとも二重の仕切り壁が設けられている、
ことを特徴とする収納容器の構造。
【請求項４】
前記収納容器の下端壁部には、収納容器の内部と外部とを連通させる貫通穴が設けられていることを特徴とする請求項１〜３の何れか一に記載の収納容器の構造。
【請求項５】
前記収納容器は、所定のタンクに薬液を供給する薬液供給手段と、該薬液供給手段からの薬液供給量を検出する薬液供給量検出手段と、前記タンクに希釈液を供給する希釈液供給手段と、該希釈液供給手段からの希釈液供給量を検出する希釈液供給量検出手段と、前記希釈薬液の希釈倍率を設定する希釈倍率設定手段と、該希釈倍率設定手段の設定値と前記薬液供給量検出手段の検出値と前記希釈液供給量検出手段の検出値とに基づいて前記薬液供給手段および希釈液供給手段の少なくとも何れか一方の作動を制御する制御手段とを備え、前記薬液を所定の希釈液で薄めて所定希釈倍率の希釈薬液を得る希釈装置において少なくとも前記制御手段を含む構成部品を収納する容器であり、
前記液体配管は、前記希釈液供給手段において収納容器の外部から供給された前記希釈液及び／又は薬液を流通させる配管であり、
前記電装品は、前記制御手段に含まれる電気回路基板である、
ことを特徴とする請求項１〜４の何れか一に記載の収納容器の構造。
【発明の詳細な説明】
【技術分野】
【０００１】
この発明は、液体配管と電装品とを実質的に密閉された空間内に収納する収納容器の構造に関する。
【背景技術】
【０００２】
従来、薬液を所定の希釈液で薄めて所定希釈倍率の希釈薬液を得る希釈装置として、希釈倍率設定ボタンで設定された希釈倍率設定値と希釈水流量センサ及び薬液流量センサの各検出値に基づいて、希釈水の給水電磁弁および薬液供給用の電動式ポンプの少なくとも何れか一方の作動を制御するようにしたものが知られている（例えば、特許文献１参照）。かかる希釈装置によれば、旧来のアスピレータ式のものに比して遥かに高精度で、設定された希釈倍率の希釈薬液を得ることができる。
【特許文献１】特開２００４−３５０３１号公報
【発明の開示】
【発明が解決しようとする課題】
【０００３】
上述のような電気式の希釈装置をできるだけコンパクトに構成し、また、デザイン性を高める等のために、給水電磁弁および電動式の薬液供給ポンプ、これらを制御するための電気回路基板、並びに給水配管および薬液配管などの主要な構成要素を、一つの容器内に収納する場合、容器の外部から希釈水および薬液をそれぞれ導入する給水配管および薬液配管と電気回路基板とが実質的に密閉された空間内に収納されることになる。
【０００４】
しかしながら、この場合、外部からの液体が流れる給水配管や薬液配管と、電気回路の作動時の発熱で加温される収納容器内の空気の温度差に起因して、給水配管や薬液配管およびその近傍部分の外表面に結露が生じ易く、この結露による水滴が電気回路基板に伝わって付着し、電気回路のショート（短絡）が生じて作動不良を招く恐れがある。
特に、前記収納容器は、外部の塵埃や水分が内部に侵入することを防止するために、できるだけ密閉性を確保する必要があり、そのため、容器内部では空気が滞留し、結露がより生じ易い状態にある。
【０００５】
このように、密閉性のある容器内に、外部から液体を導入する液体配管と電装品と収納した場合、結露が生じ易く、この結露による水滴が電装品に付着して、当該電装品の作動不良を招く恐れがあるという問題があった。
【０００６】
この発明は、かかる技術的課題に鑑みてなされたもので、液体配管と電装品とを実質的に密閉された空間内に収納する収納容器の構造として、液体配管と容器内の空気との温度差に起因する結露が生じることをできるだけ抑制し、また、液体配管およびその近傍部分の外表面に生じる結露による水滴が電装品に伝わって付着することを防止できる収納容器の構造を提供することを目的とする。
【課題を解決するための手段】
【０００７】
このため、本願請求項１の発明(以下、第１の発明という)は、液体配管と電装品とを実質的に密閉された空間内に収納する収納容器の構造であって、前記液体配管および電装品の使用状態において、前記液体配管は前記収納容器の比較的上部に位置し、前記電装品は、前記液体配管よりも下方で、且つ、平面視で前記液体配管と重ならない位置に配置されており、前記電装品の少なくとも上方および側方を覆うカバー体が配設されている、ことを特徴としたものである。
【０００８】
また、本願の請求項２に係る発明(以下、第２の発明という)は、前記第１の発明において、前記液体配管の下方には前記収納容器の下端近傍まで広がる空隙部が設けられており、前記電装品は、前記カバー体の側壁を挟んで前記空隙部の側方に配置されている、ことを特徴としたものである。
【０００９】
更に、本願の請求項３に係る発明(以下、第３の発明という)は、液体配管と電装品とを実質的に密閉された空間内に収納する収納容器の構造であって、前記電装品の上方を覆う天井壁と、前記電装品と前記液体配管との間を仕切る仕切り壁とを備えたカバー体が配設され、前記液体配管と前記電装品の間に、前記カバー体の仕切り壁を含めて少なくとも二重の仕切り壁が設けられている、ことを特徴としたものである。
【００１０】
また更に、本願の請求項４に係る発明(以下、第４の発明という)は、前記第１〜第３の発明の何れか一において、前記収納容器の下端壁部には、収納容器の内部と外部とを連通させる貫通穴が設けられていることを特徴としたものである。
【００１１】
また更に、本願の請求項５に係る発明(以下、第５の発明という)は、前記第１〜第４の発明の何れか一において、前記収納容器は、所定のタンクに薬液を供給する薬液供給手段と、該薬液供給手段からの薬液供給量を検出する薬液供給量検出手段と、前記タンクに希釈液を供給する希釈液供給手段と、該希釈液供給手段からの希釈液供給量を検出する希釈液供給量検出手段と、前記希釈薬液の希釈倍率を設定する希釈倍率設定手段と、該希釈倍率設定手段の設定値と前記薬液供給量検出手段の検出値と前記希釈液供給量検出手段の検出値とに基づいて前記薬液供給手段および希釈液供給手段の少なくとも何れか一方の作動を制御する制御手段とを備え、前記薬液を所定の希釈液で薄めて所定希釈倍率の希釈薬液を得る希釈装置において少なくとも前記制御手段を含む構成部品を収納する容器であり、前記液体配管は、前記希釈液供給手段において収納容器の外部から供給された前記希釈液及び／又は薬液を流通させる配管であり、前記電装品は、前記制御手段に含まれる電気回路基板である、ことを特徴としたものである。
【発明の効果】
【００１２】
本願の第１の発明によれば、液体配管と電装品とを実質的に密閉された空間内に収納する収納容器において、前記液体配管は、当該液体配管および前記電装品の使用状態で収納容器の比較的上部に位置している場合について、液体配管よりも下方位置の電装品は、平面視で液体配管と重ならない位置に配置され、電装品の少なくとも上方および側方はカバー体で覆われている。従って、液体配管およびその近傍部分の外表面に結露が生じたとしても、この結露による水滴が電装品に伝わって付着し電装品の作動不良を招くことが有効に防止される。
【００１３】
また、本願の第２の発明によれば、基本的には前記第１の発明と同様の作用効果を奏することができる。特に、液体配管の下方には収納容器の下端近傍まで広がる空隙部が設けられており、電装品は、カバー体の側壁を挟んで前記空隙部の側方に配置されているので、液体配管およびその近傍部分の外表面に生じた結露による水滴が電装品に伝わることを有効に防止した上で、電装品からの熱を前記空隙部に放散させて電装品の昇温を抑制できる。
【００１４】
更に、本願の第３の発明によれば、液体配管と電装品とを実質的に密閉された空間内に収納する収納容器において、電装品と液体配管との間を仕切る仕切り壁と電装品の上方を覆う天井壁とを備えたカバー体を設けたことにより、液体配管およびその近傍部分の外表面に結露が生じたとしても、この結露による水滴が電装品に伝わって付着し電装品の作動不良を招くことを防止できる。また、液体配管と電装品の間に、前記カバー体の仕切り壁を含めて少なくとも二重の仕切り壁が設けられているので、これらの壁で仕切られた空間内の空気の断熱効果により、電装品からの熱が液体配管側に伝達されることを抑制し、当該液体配管およびその近傍部分の外表面に結露が生じることを抑制できる。
【００１５】
また更に、本願の第４の発明によれば、基本的には前記第１〜第３の発明の何れか一と同様の作用効果を奏することができる。特に、前記収納容器の下端壁部には、収納容器の内部と外部とを連通させる貫通穴が設けたことにより、容器内部に外部の空気を導入して電装品およびその周辺の温度を低下させることができ、また、容器内部で空気が滞留することを防止し、結露の発生を抑制することができる。とりわけ、前記貫通穴は収納容器の下端壁部に設けられているので、結露により生じた水分をこの貫通穴から容器外部へ滴下して排出することもできる。
【００１６】
また更に、本願の第５の発明によれば、所定のタンクに薬液を供給する薬液供給手段と、該薬液供給手段からの薬液供給量を検出する薬液供給量検出手段と、前記タンクに希釈液を供給する希釈液供給手段と、該希釈液供給手段からの希釈液供給量を検出する希釈液供給量検出手段と、前記希釈薬液の希釈倍率を設定する希釈倍率設定手段と、該希釈倍率設定手段の設定値と前記薬液供給量検出手段の検出値と前記希釈液供給量検出手段の検出値とに基づいて前記薬液供給手段および希釈液供給手段の少なくとも何れか一方の作動を制御する制御手段とを備え、前記薬液を所定の希釈液で薄めて所定希釈倍率の希釈薬液を得る希釈装置において少なくとも前記制御手段を含む構成部品を収納する容器として、基本的には前記第１〜第４の発明の何れか一と同様の作用効果を奏することができる。
すなわち、かかるタイプの希釈装置において、希釈液及び／又は薬液を流通させる配管と容器内の空気との温度差に起因する結露が生じることをできるだけ抑制し、また、前記配管およびその近傍部分の外表面に生じる結露による水滴が電気回路基板に伝わって付着し作動不良を招くことを防止できる。
【発明を実施するための最良の形態】
【００１７】
以下、本発明の実施形態を、薬液を所定の希釈液で薄めて所定希釈倍率の希釈薬液を得る希釈装置、特に、希釈倍率の設定値と希釈水流量センサ及び薬液流量センサの各検出値に基づいて、希釈水の給水電磁弁および薬液供給用の電動式ポンプの少なくとも何れか一方の作動を制御するようにした、電気式の希釈装置に用いられる収納容器に適用した場合を例にとって、添付図面を参照しながら詳細に説明する。
図１は本実施形態に係る希釈装置の全体構成を概略的に示すブロック構成図、図２は図１の要部を拡大して示す要部拡大説明図、また、図３は前記希釈装置の駆動系および制御系の構成を概略的に示すブロック構成図である。
【００１８】
図１に示すように、前記希釈装置Ａｄは、所定の希釈液（希釈用液体）で希釈されるべき薬液を貯える第１タンクТ１と、該第１タンクＴ１から供給された薬液を希釈液で希釈して得られる希釈薬液を貯える第２タンクТ２とを備えている。第１タンクТ１内の薬液は、薬液供給管Ｐｄ１から第２タンクＴ２に向かって供給される。
本実施形態では、希釈液として、例えば水道水が用いられる。また、薬液としては、例えば食器洗い用の洗剤が用いられる。
【００１９】
前記薬液供給管Ｐｄ１は、後述するギヤポンプ２２の入口側（吸い込み側）に接続され、該ギヤポンプ２２の出口側（吐出側）には薬液吐出管Ｐｄ２が繋ぎ込まれている。この薬液吐出管Ｐｄ２には、ギヤポンプ２２の吐出口にできるだけ近い直下流側に、ギヤポンプ２２からの吐出液体（薬液）の状態を検知するセンサとして、薬液流量センサ２６が介設されている。薬液吐出管Ｐｄ２は、この薬液流量センサ２６よりも下流側で、前記第２タンクＴ２へのタンク供給管Ｐｋに接続されている。
つまり、第１タンクＴ１に貯えられた薬液は、前記ギヤポンプの吸い込み／吐出作用により、前記薬液供給管Ｐｄ１，ギヤポンプ２２，薬液流量センサ２６が介設された薬液吐出管Ｐｄ２及びタンク供給管Ｐｋを順次介して、前記第２タンクＴ２内へ供給されるようになっている。
【００２０】
前記第２タンクТ２のタンク供給管Ｐｋには、前記薬液吐出管Ｐｄ２だけでなく希釈液吐出管（水用吐出管）Ｐｗ２が接続されており、これら薬液吐出管Ｐｄ２及び水用吐出管Ｐｗ２を介して、第２タンクТ２内に薬液（洗剤）及び希釈液（水）が吐出され、該第２タンクТ２内で両者が混合される。その結果得られた希釈薬液が、そのまま第２タンクТ２内に貯えられ、必要に応じて使用に供されるようになっている。
【００２１】
希釈装置Ａｄには、希釈液としての水道水を供給する給水系として、給水系の入口部（最上流部）となる給水接続部１２と給水電磁弁１４と減圧定流量弁１６と水用流量センサ１８とが、給水管Ｐｗ１の上流側から順に配設されている。前記給水接続部１２には水道管２が接続されており、この水道管２からの水道水は、給水管Ｐｗ１に介設された給水電磁弁１４と減圧定流量弁１６と流量センサ１８とを順次介して、水用吐出管Ｐｗ２に送られ、この水用吐出管Ｐｗ２を介して第２タンクТ２内に吐出される。
【００２２】
尚、前記給水管Ｐｗ１は、給水電磁弁１４よりも上流側で分岐しており、その一方の分岐管Ｐｗａが前記水用吐出管Ｐｗ２に繋がり、他方の分岐管Ｐｗｂは、給水管Ｐｗ１の出口接続部１３に繋がっている。
希釈装置Ａｄが単独で配置・使用される際には、前記出口接続部１３は閉塞プラグ（不図示）で閉じられる。一方、複数の希釈装置Ａｄが並列に配置されて使用される場合には、前記出口接続部１３が隣接する希釈装置Ａｄの給水接続部１２に繋ぎ込まれ、給水系として共通の水道管２からの給水が利用できるようになっている。これにより、各々の希釈装置Ａｄの給水配管をそれぞれ個別に給水源に接続する必要が無く、給水系の簡素化も図ることもできるようになっている。
【００２３】
給水系に設けられた上記給水電磁弁１４は、希釈装置Ａｄの制御ユニットＵｃ（後述する）からの制御信号に応じて開閉制御されるもので、この給水電磁弁１４が開かれることにより、給水管Ｐｗ１を介しその分岐管Ｐｗａから希釈装置Ａｄ内へ給水が行われる。また、前記減圧定流量弁１６は、基本的には、水道管２からの水道水を所定圧力に減圧するものであるが、同時に、予め設定された一定の流量を下流側に流す定流量機能を備えている。
【００２４】
更に、前記水用流量センサ１８は、第２タンクТ２への水道水の供給量を検出するもので、その検出信号は前記制御ユニットＵｃに送信される。この水用流量センサ１８は、例えば、流路に介設された羽根車（不図示）の回転を検出し、その回転数に応じたパルス（周波数）信号を検出信号として出力するものである。前記制御ユニットＵｃでは、この出力信号に基づいて給水量が演算される。
尚、具体的には図示しなかったが、前記制御ユニットＵｃには、水用吐出管Ｐｗ２を実際に流れている水量が、この水用流量センサ１８による流量検出を安定して行うために必要とされる最低流量以上であるか否かを判定する際に用いられるタイマ回路、及び実際の流量が前記最低流量に対し不足した状態が継続する時間を判定する際に用いられるタイマ回路などが設けられている。
【００２５】
また、希釈装置Ａｄの薬液供給系には、前述のように、ギヤポンプ２２が薬液供給管Ｐｄ１の下流側に介設されている。このギヤポンプ２２には、該ポンプ２２を駆動するための電動の駆動モータ２４が付設されている。尚、本実施形態では、好ましくは、この駆動モータ２４の回転数を制御することにより、ギヤポンプ２２の運転状態を、高出力（高回転）モードと低出力（低回転）モードとの間で選択的に切り換えることができるようになっている。
【００２６】
図２に詳しく示すように、前記駆動モータ２４に電力を供給する電力供給回路では、モータ２４の両端子間にブレーカＢＫ（ポンプブレーカ）が介設されており、このポンプブレーカＢＫは前記制御ユニットＵｃに信号授受可能に接続されている。
そして、ギヤポンプ２２の運転を停止させる際には、前記ポンプブレーカＢＫをオン（ＯＮ）することで、モータ２４の両端子間を短絡させて該駆動モータの回転を迅速に停止させ、これにより、ギヤポンプ２２をできるだけ迅速に停止させて、無駄な薬液供給を極力低減することができるようになっている。
【００２７】
更に、前述のように、ギヤポンプ２２の出口側（吐出側）には薬液吐出管Ｐｄ２が繋ぎ込まれており、この薬液吐出管Ｐｄ２には、ギヤポンプ２２の吐出口にできるだけ近い直下流側に、ギヤポンプ２２からの吐出液体（薬液）の状態を検知するセンサとして、薬液流量センサ２６が介設されている。
上記第１タンクТ１から薬液供給管Ｐｄ１を介して供給される薬液は、上記駆動モータ２４でギヤポンプ２２が駆動されることにより、該ポンプ２２で第１タンクТ１から吸い上げられ、薬液吐出管Ｐｄ２及びタンク供給管Ｐｋを介して第２タンクТ２内に吐出される。
【００２８】
その際、ギヤポンプ２２の吐出流量が前記薬液流量センサ２６によって検出され、その検出信号が上記制御ユニットＵｃに送信される。
尚、本実施形態では、好ましくは、この薬液流量センサ２６で検知された薬液吐出流量などに応じて、ギヤポンプ２２の運転モードが、高出力モードと低出力モードとの間で切り換えられるようになっている。高出力モードは、当該ギヤポンプ２２の１００％の出力で運転されるモードである。一方、低出力モードは薬液の粘度に応じた出力％で運転されるモードである。すなわち、薬液の種類に応じて標準的な粘度（標準的な温度等の条件に対応した粘度）が定まり、この標準的な粘度レベルに応じて設定吐出流量でのギヤポンプ２２の出力％が設定される。
【００２９】
前記薬液流量センサ２６は、水用流量センサ１８と同じく、例えば、流路に介設された羽根車（不図示）の回転を検出し、その回転数に応じたパルス（周波数）信号を検出信号として出力するもので、制御ユニットＵｃでは、この出力信号に基づいて薬液吐出量が演算される。
尚、具体的には図示しなかったが、前記制御ユニットＵｃには、ギヤポンプ２２を低出力モード若しくは高出力モードで運転中に、薬液流量センサ２６の検出流量が当該出力モードでの規定値以上であるか、或いは規定値未満であるかを判定する判定回路が設けられている。
【００３０】
この判定は、例えば、薬液流量センサ２６から出力される検出信号としてのパルス信号のパルス間隔を基準値と対比して行われる。すなわち、このパルス間隔は液体流量に対応しており、前述のように、標準的な粘度レベルに応じて設定吐出流量でのギヤポンプ２２の出力％が設定されると、この出力％に応じたパルス間隔の基準値が定まる。パルス間隔は流体流量が少ないほど長くなるので、検出信号のパルス間隔が基準値よりも長い場合には、設定吐出流量よりも少ないことになる。
【００３１】
但し、実際には、薬液流量センサ２２の検出誤差や薬液流量の微少な変動などもあるので、本実施形態では、上述の基準値に所定の許容範囲（例えば、プラス（＋）１００％）を設け、この許容範囲を越えてパルス間隔が長くなった場合に、薬液流量センサ２６の検出流量が当該出力モードでの規定値未満であると判定し、パルス間隔が許容範囲内にある限り、薬液流量センサ２６の検出流量が当該出力モードでの規定値以上であると判定するようにしている。
【００３２】
尚、希釈装置Ａｄの稼働初期や第１タンクＴ１の交換後（或いはタンクＴ１内に新規に薬液を加えた後）など、ギヤポンプ２２の上流側配管（薬液供給管Ｐｄ１）内に装置Ａｄの稼働時または再稼働時の初期のエアが存在することが想定される場合には、より好ましくは、装置Ａｄの稼働または再稼働に先立って、少なくともギヤポンプ２２の上流側配管内を水で濡らしておくことにより、ポンプ２２の所謂「泡噛み」を抑制してスムースにポンプ２２を始動でき、より素早く薬液を吸い込み吐出することができる。
この場合、装置Ａｄの稼働または再稼働に先立って、第１タンクＴ１の代わりに水を入れたタンクをセットし、ギヤポンプ２２を駆動して水を吸い込み、吐出排水することで、ポンプ２２の上流側配管Ｐｄ１内を水で濡らすことができる。
【００３３】
図３に示されるように、希釈装置Ａｄには、前記給水電磁弁１４，ギヤポンプ２２の駆動モータ２４及びポンプブレーカＢＫなどに電力を供給する電源ユニットＵｓが設けられ、この電源ユニットＵｓは、例えば交流１００ボルトとされた電源（所謂、家庭用電気配線）に繋ぎ込まれると共に、本希釈装置Ａｄの制御を行うための前記制御ユニットＵｃに信号授受可能に接続されている。
尚、この制御ユニットＵｃは、多数の電気回路および電子回路を搭載した電気回路基板を主要部として構成されている。
【００３４】
制御ユニットＵｃには、前記水用流量センサ１８及び薬液流量センサ２６の他、スイッチ回路４０，表示回路４５，メモリ装置５０，警報回路５５などが接続されている。
前記スイッチ回路４０は、電源スイッチ，運転スイッチ及び手動スイッチ等の各スイッチ（何れも不図示）をオン／オフ（ОＮ／ОＦＦ）させるものであり、また、表示回路４５は、電源ランプ，運転ランプ，薬液不足ランプ及び水量不足ランプ、更には、設定倍率等を表示する表示画面などの各表示装置（何れも不図示）をＯＮ／ＯＦＦさせるものである。更に、メモリ装置５０は、例えばＥＥＰＲＯＭで構成され、種々のデータ等を読み出し可能に記憶するものであり、警報回路５５は、異常を報知する警報ブザー（不図示）を作動させるものである。
【００３５】
尚、上記薬液供給管Ｐｄ１，ギヤポンプ２２及びその駆動モータ２４並びにその制御機構，薬液吐出管Ｐｄ２，タンク供給管Ｐｋによって「薬液供給機構」が構成され、この薬液供給機構に、薬液貯留容器としての第１タンクТ１を加えて「薬液供給手段」が構成されている。また、希釈液供給源としての水道元管２への給水接続部１２，給水管Ｐｗ１，給水電磁弁１４及び減圧定流量弁１６並びにこれらの制御機構，水用吐出管Ｐｗ２，タンク供給管Ｐｋによって、「希釈液供給手段」が構成されている。
【００３６】
以上のように構成された希釈装置Ａｄを用い、倍率設定ボタン（不図示）で設定された希釈倍率設定値と前記水用流量センサ１８及び薬液流量センサ２６の各検出値に基づいて、前記給水電磁弁１４及びギヤポンプ２２の各作動をそれぞれ制御することで、旧来のアスピレータ式のものに比して遥かに高精度で、設定された希釈倍率の希釈薬液を得ることができる。
尚、本実施形態では、より好ましくは、供給水量（希釈液の供給量）が実質的に一定に維持された下で、ギヤポンプ２２の駆動モータ２４の作動を制御して薬液供給量を調整することで、設定された希釈倍率を得るようにしている。この場合、供給水量と薬液供給量の両方を調整する場合に比して、制御を簡略化し精度もより高めることができる。
【００３７】
また、本実施形態では、希釈装置Ａｄの作動機器類や制御機器類および電気制御回路ならびに給水配管系や薬液供給配管系の一部などの主要部分が、一つの収納容器１０（次に述べる図４参照）内に収納されてユニット化されている。このように一つの収納容器１０内にユニット化することで、前述のように構成された電動式の希釈装置Ａｄをできるだけコンパクトなものとし、また、デザイン性を高めることもできる。
【００３８】
次に、前記収納容器１０の構造について説明する。
図４は、前記収納容器１０の正面説明図であるが、この図に示されるように、収納容器１０の比較的上部の一方の側部（図４における右側部）から、前記給水管Ｐｗ１が突出しており、その給水接続部１２にジョイント部材３を介して水道管２（図１参照）が接続される。また、収納容器１０の比較的上部の他方の側部（図４における左側部）から、前記給水管Ｐｗ１の分岐管Ｐｗｂ（図１参照）が突出しており、その出口接続部１３は閉塞プラグ４で閉じられている。尚、本実施形態では、希釈装置Ａｄは単独で配置・使用されるが、複数の希釈装置Ａｄが並列に配置されて使用される場合には、前記閉塞プラグ４を取り外し、前記ジョイント部材３と同様のジョイント部材（不図示）を用いて、前記出口接続部１３を隣接する希釈装置Ａｄの給水接続部１２に繋ぎ込むことにより、給水系として共通の水道管２からの給水が利用できることは、前述の通りである。
更に、収納容器１０の下部からは、第１タンクＴ１に繋ぎ込まれる薬液供給管Ｐｄ１及び第２タンクＴ２に繋ぎ込まれるタンク供給管Ｐｋが下方に延出されている。
【００３９】
図５は、前記収納容器１０及びその内部に収納される構成要素（希釈装置Ａｄの機器類や配管類など）を示す分解斜視図である。また、図６は前記構成要素の収納状態における収納容器の内部を示す正面説明図、図７は図６におけるＹ７−Ｙ７線に沿った断面説明図、図８は図６におけるＹ８−Ｙ８線に沿った断面説明図である。
図５に示されるように、前記収納容器１０は、ケースハウジング６１と、該ケースハウジング６１に対して略直交する方向に配設される内部ベース板６２と、該内部ベース板６２と背中合わせの位置に配設されるカバー体（基板カバー）６３と、内部ベース板６２を挟んで前記基板カバー６３と反対部分の側方に位置する第１内部プレート６４と、前記ケースハウジング６１と組み合わされ収納容器１０内に収納された構成要素を覆う所定深さのカバー体６５（ケースカバー）と、該ケースカバー６５の内側に配置される第２内部プレート６６とを備えている。
【００４０】
前記ケースハウジング６１は、図７及び図８に示すように、希釈装置Ａｄを壁面Ｗｆに取り付ける際に該壁面Ｗｆに固定される板状のベース部６１ｂを有し、該ベース部６１ｂ
の周囲は内方へ所定量突出する縦壁６１ａで囲まれている。また、ベース部６１ｂには、その上下に壁面Ｗｆへの固定用の固定フランジ部６１ｆが設けられるとともに、内方へ突出する多数の取付ボス部６１ｃやリブ６１ｄが一体的に設けられている。
前記給水管Ｐｗ１と給水電磁弁１４と減圧定流量弁１６とは、より好ましくは、一体に組み付けられてユニット化されており、このユニット体が、複数のネジ部材Ｎを用いてケースハウジング６１のベース部６１ｂに締結固定される。
【００４１】
また、内部ベース板６２はケースハウジング６１のベース部６１ｂに対して略直交する方向に配設され、複数のネジ部材Ｎを用いて前記ベース部６１ｂに締結固定されるものである。この内部ベース板６２にも多数の取付ボス部６２ｃやリブ６２ｄが設けられており、この内部ベース板６２の片側（図５及び図６における右側）に、基板カバー６３が複数のネジ部材Ｎを用いて締結固定される。
【００４２】
この基板カバー６３は、希釈装置Ａｄの壁面Ｗｆへの取付状態（使用可能状態）において、前記制御ユニットＵｃの主要部を構成する電気回路基板６０（図６及び図７参照）の上下および側方を覆って保護するもので、略矩形平板状のベース部６３ｂと、電気回路基板６０の上方を覆う天井壁部６３ｒと、電気回路基板６０の側方を覆う側壁部６３ｓと、電気回路基板６０の下方を覆う底壁部６３ｔとが立設されている。電気回路基板６０は、ネジ部材Ｎを用いて前記ベース部６３ｂに締結固定される。
【００４３】
一方、前記内部ベース板６２の他側（図５及び図６における左側）には、水用流量センサ１８を設けた水用吐出管Ｐｗ２とタンク供給管Ｐｋの上部とを一体的にユニット化した配管ユニット６９が、複数のネジ部材Ｎを用いて締結固定される。また、前記内部ベース板６２の他側には、薬液用のギヤポンプ２２及び電動モータ２４と、薬液用流量センサ２６を設けた薬液吐出管Ｐｄ２とを一体的に組み付けたユニットが、複数のネジ部材Ｎを用いて締結固定され、その側方が防塵用を兼ねた防磁力の第１内部プレート６４で覆われる。また、この組付状態では、電動モータ２４の上方は、内部ベース板６２に一体的に形成された天井壁部６２ｒで覆われる。
尚、前記電動モータ２４及び給水電磁弁１４は、電気コード７５により外部の電源から取り入れられた電力が供給される。
【００４４】
前記ケースカバー６５は、前記ケースハウジング６１と組み合わされ収納容器１０内に収納された構成要素を覆うもので、一方側が開口した所定深さの矩形ボックス状に形成されており、開口と反対側に位置する正面壁部６５ｂに、各種のボタンやスイッチ及び表示部などを備えた操作表示部７０（図４参照）が配設される。前記正面壁部６５ｂの周囲に、天井壁部６５ｒ，左右の側壁部６５ｓ及び底壁部６５ｔが一体的に立設されている。尚、具体的には図示しなかったが、この正面壁部６５ｂの直ぐ裏面側には操作表示部７０用の電気回路基板が配設され、該電気回路基板は、第２内部プレート６６に取付支持される。この第２内部プレート６６は、ネジ部材Ｎを用いて、正面壁部６５ｂの裏面側に締結固定される。
【００４５】
前記ケースカバー６５は、正面壁部６５ｂの周囲に立設された天井壁部６５ｒ，左右の側壁部６５ｓ及び底壁部６５ｔの各端末部を、ケースハウジング６１のベース部６１の周囲に立設された縦壁６１ａの端末部に突き合わせた状態で、複数のネジ部材Ｎを用いて、ケースカバー６５の天井壁部６５ｒを前記ベース部６１の上部の取付片６１ｅに締結固定することで、ケースハウジング６１に固定される。尚、図６は、ケースカバー６５をケースハウジング６１から取り外した状態を示した正面説明図である。
ケースカバー６５の各壁部６５ｒ，６５ｓ，６５ｔの各端末部とケースハウジング６１の縦壁６１ａの端末部とは、より好ましくは、互いに突き合わせた状態で相互に嵌合するように、それぞれ段部が形成されており、ケースカバー６５をケースハウジング６１に組み付けた際に、収納容器１０の内部の密閉性がより高められるように構成されている。
【００４６】
尚、前記収納容器１０を構成する、ケースハウジング６１，内部ベース板６２，基板カバー６３，第１内部プレート６４，ケースカバー６５及び第２内部プレート６６は、より好ましくは、何れも所定の合成樹脂を材料に用いて成形することにより、それぞれが一体物として構成されている。
【００４７】
以上のように構成された収納容器１０内に、希釈装置Ａｄの作動機器類や制御機器類および電気制御回路ならびに給水配管系や薬液供給配管系の一部などの主要部分を収納することにより、容器１０の外部から希釈水を導入する給水配管としての給水管Ｐｗ１，水用吐出管Ｐｗ２，タンク供給管Ｐｋの上部、及び容器１０の外部から薬液を導入する薬液配管としての薬液吐出管Ｐｄ２，タンク供給管Ｐｋの上部と、電気回路基板６０とが実質的に密閉された空間Ｓ（図６〜図８参照）内に収納されることになる。
従って、外部からの液体が流れる液体配管と電気回路の作動時の発熱で加温される収納容器１０内の空気の温度差に起因して、一般に、上述の液体配管およびその近傍部分の外表面に結露が生じ易く、この結露による水滴が電気回路基板６０に伝わって付着し、電気回路のショート（短絡）による作動不良を招く可能性が生じる。
【００４８】
そこで、本実施形態では、収納容器１０を壁面Ｗｆに固定した状態、つまり希釈装置Ａｄの使用可能状態において、上下方向に広がる電気回路基板６０と、該電気回路基板６０よりも上方に位置し水平方向に伸長する給水管Ｐｗ１及び水用吐出管Ｐｗ２の一部（上部）との位置関係について、平面視で、電気回路基板６０が前記水用吐出管Ｐｗ２の上部および給水管Ｐｗ１と重ならない位置に配置するようにしている（図７及び図８参照）。
また、電気回路基板６０の少なくとも上方および側方、本実施形態では両方が、基板カバー６３の天井壁部６３ｒ及び側壁部６３ｓで覆われている。
【００４９】
従って、電気回路基板６０よりも上方に位置する液体配管（前記水用吐出管Ｐｗ２の上部および給水管Ｐｗ１）並びにその近傍部分の外表面に結露が生じたとしても、この結露による水滴が電気回路基板６０に伝わって付着し、電気回路基板６０の（つまり制御ユニットＵｃの）作動不良を招くことが有効に防止されている。
【００５０】
また、図７及び図８から分かるように、特に、前記液体配管（前記水用吐出管Ｐｗ２の上部および給水管Ｐｗ１）の下方には収納容器１０の下端近傍まで広がる空隙部Ｓｇが形成されている。そして、電気回路基板６０は、基板カバー６３の側壁部６３ｓを挟んで前記空隙部Ｓｇの側方に配置されている。
【００５１】
従って、電気回路基板６０よりも上方に位置する液体配管（前記水用吐出管Ｐｗ２の上部および給水管Ｐｗ１）並びにその近傍部分の外表面に生じた結露による水滴が電気回路基板６０に伝わることを有効に防止した上で、電気回路基板６０からの熱を前記空隙部Ｓｇに放散させて電気回路基板６０の（つまり制御ユニットＵｃの）昇温を有効に抑制できる。
【００５２】
また、水用吐出管Ｐｗ２とタンク供給管Ｐｋの上部とを一体的にユニット化した、上下方向に伸長する配管ユニット６９については、この配管ユニット６９と電気回路基板６０とは、上下方向に広がる前記基板カバー６３のベース部６３ｂで仕切られており、且つ、電気回路基板６０の上方は基板カバー６３の天井壁部６３ｒで覆われている。すなわち、電気回路基板６０と前記配管ユニット６９との間を仕切る仕切り壁としてのベース部６３ｂと、電気回路基板６０の上方を覆う天井壁部６３ｒとを備えた基板カバー６３を設けたことにより、配管ユニット６９およびその近傍部分の外表面に結露が生じたとしても、この結露による水滴が電気回路基板６０に伝わって付着し電気回路基板６０の（つまり制御ユニットＵｃの）作動不良を招くことを有効に防止できる。
【００５３】
更に、基板カバー６３のベース部６３ｂと配管ユニット６９の間には、上下方向に広がる内部ベース板６２が位置している。つまり、前記配管ユニット６９と電気回路基板６０の間には、前記内部ベース板６２と基板カバー６３のベース部６３ｂの二重の仕切り壁が設けられていることになる。
従って、これらの二重の壁６２，６３ｂで仕切られた空間Ｓｎ内の空気の断熱効果により、電気回路基板６０からの熱が前記配管ユニット６９側に伝達されることを抑制し、当該配管ユニット６９およびその近傍部分の外表面に結露が生じることを効果的に抑制できる。
【００５４】
また、より好ましくは、電気回路基板６０は、基板カバー６３のベース部６３ｂ上に立設された複数のボス部（不図示）上に固定されており、前記ベース部６３ｂと電気回路基板６０自体の間にも空間が形成されている。従って、電気回路基板６０からの熱が前記配管ユニット６９側に伝達されることが、より効果的に抑制されるようになっている。
【００５５】
また更に、収納容器１０の下端壁部を構成する前記ケースカバー６５の底壁部６５ｔの適所には、収納容器１０の内部と外部とを連通させる貫通穴６５ｈ（図４参照）が設けられている。
かかる貫通穴６５ｈを設けたことにより、収納容器１０の内部に外部の空気を導入して電気回路基板６０およびその周辺の温度を低下させることができ、また、収納容器１０の内部で空気が滞留することを防止し、結露の発生を抑制することができる。とりわけ、前記貫通穴６５ｈは収納容器１０の下端壁部をなす前記ケースカバー６５の底壁部６５ｔに設けられているので、結露により生じた水分をこの貫通穴６５ｈから収納容器１０の外部へ滴下して排出することもできる。
【００５６】
尚、ケースカバー６５の正面壁部６５ｂの直ぐ裏面側に配設されている操作表示部７０用の電気回路基板（不図示）の場合には、結露が生じる恐れのある液体配管から大きく外れた位置にあり、しかも、正面壁部６５ｂと第２内部プレート６６との間の空間に保持されているので、結露による水滴が付着する心配はない。
【００５７】
以上、説明したように、本実施形態によれば、前記希釈装置Ａｄは、第２タンクＴ２に薬液を供給する薬液供給手段（第１タンクＴ１，薬液供給管Ｐｄ１，ギヤポンプ２２及びその駆動モータ２４並びにその制御機構，薬液吐出管Ｐｄ２，タンク供給管Ｐｋ）と、該薬液供給手段からの薬液供給量を検出する薬液供給量検出手段（薬液流量センサ２６）と、前記第２タンクＴ２に希釈液（水）を供給する希釈液供給手段（水道元管２への給水接続部１２，給水管Ｐｗ１，給水電磁弁１４及び減圧定流量弁１６並びにこれらの制御機構，水用吐出管Ｐｗ２，タンク供給管Ｐｋ）と、該希釈液供給手段からの希釈液供給量を検出する希釈液供給量検出手段（水用流量センサ１８）と、前記希釈薬液の希釈倍率を設定する希釈倍率設定手段と、該希釈倍率設定手段の設定値と前記薬液供給量検出手段の検出値と前記希釈液供給量検出手段の検出値とに基づいて前記薬液供給手段および希釈液供給手段の少なくとも何れか一方の作動を制御する制御手段（制御ユニットＵｃ）とを備えており、前記薬液を所定の希釈液で薄めて所定希釈倍率の希釈薬液を得ることができる。
【００５８】
前記収納容器１０は、かかる希釈装置Ａｄにおいて、少なくとも前記制御ユニットＵｃの電気回路基板６０を含む構成部品を、実質的に密閉された空間Ｓ内に収納するものである。この空間Ｓ内には、電気回路基板６０以外に、該電気回路基板６０よりも上方に位置する液体配管として、水用吐出管Ｐｗ２の上部および給水管Ｐｗ１が収納されている。また、その他に、水用吐出管Ｐｗ２とタンク供給管Ｐｋの上部とを一体的にユニット化した上下方向に伸長する配管ユニット６９が収納されている。
【００５９】
そして、本実施形態に係る収納容器１０は、前述の構成を採用したことにより、前記各配管と容器１０内の空気との温度差に起因する結露が生じることをできるだけ抑制することができる。また、各配管およびその近傍部分の外表面に結露が生じたとしても、この結露による水滴が電気回路基板６０に伝わって付着することを防止でき、希釈装置Ａｄの作動不良を招くことが有効に防止されるのである。
【００６０】
尚、以上の実施の形態は、薬液を所定の希釈液で薄めて所定希釈倍率の希釈薬液を得る希釈装置Ａｄの収納容器１０の構造についてのものであったが、本発明は、かかる場合に限定されるものではなく、液体配管と電装品とを実質的に密閉された空間内に収納するものであれば、他の種々の収納容器についても有効に適用することができる。
このように、本発明は、前記実施態様に限定されるものではなく、また、その要旨を逸脱しない範囲において、種々の改良あるいは設計上の変更が可能であることは言うまでもない。
【産業上の利用可能性】
【００６１】
本発明は、液体配管と電装品とを実質的に密閉された空間内に収納する収納容器の構造に関するもので、液体配管およびその近傍部分の外表面に結露が生じることを抑制し、また、この結露による水滴が電装品に伝わって付着することを防止することができ、例えば、薬液を所定の希釈液で薄めて所定希釈倍率の希釈薬液を得る希釈装置において、希釈液配管や薬液配管と電気回路基板を含む電装品とを収納する収納容器の構造として、好適に利用することができる。
【図面の簡単な説明】
【００６２】
【図１】本発明の実施形態に係る希釈装置の全体構成を概略的に示すブロック構成図である。
【図２】図１の要部を拡大して示す要部拡大説明図である。
【図３】前記希釈装置の駆動系及び制御系の構成を概略的に示すブロック構成図である。
【図４】前記希釈装置の主要部を収納する収納容器の正面説明図である。
【図５】前記収納容器および内部に収納される機器類や配管類などを示す分解斜視図である。
【図６】前記収納容器の収納状態における内部を示す正面説明図である。
【図７】図６におけるＹ７−Ｙ７線に沿った断面説明図である。
【図８】図６におけるＹ８−Ｙ８線に沿った断面説明図である。
【符号の説明】
【００６３】
１０…収納容器
１２…給水接続部
１４…給水電磁弁
１６…減圧定流量弁
１８…水用流量センサ
２２…ギヤポンプ
２４…駆動モータ
２６…薬液流量センサ
６０…電気回路基板
６１…ケースハウジング
６２…内部ベース板
６３…基板カバー
６３ｂ…ベース部
６３ｒ…天井壁部
６３ｓ…側壁部
６４…第１内部プレート
６５…ケースカバー
６５ｈ…貫通穴
６５ｔ…底壁部
６６…第２内部プレート
６９…配管ユニット
Ａｄ…希釈装置
Ｐｄ１…薬液供給管
Ｐｄ２…薬液吐出管
Ｐｋ…タンク供給管
Ｐｗ１…給水管
Ｐｗ２…水用吐出管
Ｓ…空間部
Ｓｇ…空隙部
Т１…第１タンク
Т２…第２タンク
Ｕｃ…制御ユニット
【図１】
2006346523.tif 000003
【図２】
2006346523.tif 000004
【図３】
2006346523.tif 000005
【図４】
2006346523.tif 000006
【図５】
2006346523.tif 000007
【図６】
2006346523.tif 000008
【図７】
2006346523.tif 000009
【図８】
2006346523.tif 000010